(57)【要約】【課題】広い温度範囲にわたりＰＥＴ画像の品質を向上する。【解決手段】実施形態のポジトロン放射断層撮影装置は、ポジトロン放射断層撮影（ＰＥＴ）スキャナにより実行されるスキャンの間にＰＥＴスキャナの検出器の現在温度を取得し、現在温度に基づき、スキャンの間にＰＥＴスキャナで用いられるデータ取得パラメータを調整する制御部を備える。【選択図】図２
2014238397.tif 000002
【特許請求の範囲】
【請求項１】
ポジトロン放射断層撮影（Positron  Emission  Tomography：ＰＥＴ）スキャナにより実行されるスキャンの間に前記ＰＥＴスキャナの検出器の現在温度を取得し、前記現在温度に基づき、前記スキャンの間に前記ＰＥＴスキャナで用いられるデータ取得パラメータを調整する制御部を備えるポジトロン放射断層撮影装置。
【請求項２】
前記制御部は、前記現在温度が先に記録された前記検出器の温度と異なるか否かを判定し、前記現在温度が前記先に記録された温度と異なる場合、前記スキャンの間に前記ＰＥＴスキャナで用いられる前記データ取得パラメータを調整する、請求項１に記載のポジトロン放射断層撮影装置。
【請求項３】
前記制御部は、前記スキャンの間の所定時間に前記現在温度を取得し、前記取得した現在温度に基づき、各所定時間に前記データ取得パラメータを調整する、請求項１又は２に記載のポジトロン放射断層撮影装置。
【請求項４】
前記制御部は、前記検出器に対応して配設されたセンサから前記現在温度を取得し、
前記先に記録された温度は、前記スキャンの前に前記センサから取得され記録される、請求項２に記載のポジトロン放射断層撮影装置。
【請求項５】
メモリをさらに備え、
前記制御部は、前記メモリに格納された既定の表を用いて、前記現在温度に対応付けられた前記データ取得パラメータを調整する、請求項１乃至４のいずれか一項に記載のポジトロン放射断層撮影装置。
【請求項６】
前記制御部は、エネルギーウインドウを規定するパラメータを含む前記データ取得パラメータを調整する、請求項１乃至５のいずれか一項に記載のポジトロン放射断層撮影装置。
【請求項７】
ポジトロン放射断層撮影（Positron  Emission  Tomography：ＰＥＴ）スキャナにより実行されるスキャンの間に、データ取得パラメータを調整する調整方法であって、
前記スキャンの間に前記ＰＥＴスキャナの検出器の現在温度を取得するステップと、
前記現在温度に基づき、前記スキャンの間に前記ＰＥＴスキャナで用いられる前記データ取得パラメータを調整するステップと
を含む調整方法。
【請求項８】
ポジトロン放射断層撮影（Positron  Emission  Tomography：ＰＥＴ）スキャナであって、
温度を測定するよう構成されたセンサをそれぞれ含む複数の検出器と、
前記ＰＥＴスキャナのスキャンの間に前記複数の検出器の現在温度を取得し、前記現在温度に基づき、前記スキャンの間に前記ＰＥＴスキャナで用いられるデータ取得パラメータを調整する制御部と
を備えるＰＥＴスキャナ。
【発明の詳細な説明】
【技術分野】
【０００１】
本発明の実施形態は、ポジトロン放射断層撮影装置、調整方法およびＰＥＴスキャナに関する。
【背景技術】
【０００２】
ポジトロン放射断層撮影（Positron  Emission  Tomography：ＰＥＴ）システムの校正係数は、温度の関数である。校正係数はシステムタイミングおよびエネルギー性能に影響する。
【先行技術文献】
【特許文献】
【０００３】
【特許文献１】特表２００８−５１４９５２号公報
【発明の概要】
【発明が解決しようとする課題】
【０００４】
しかし、多くの場合、校正係数は特定の雰囲気温度で測定されるため、ＰＥＴシステムの性能は、全ての温度範囲において必ずしも最適化されていない。
【０００５】
本発明が解決しようとする課題は、広い温度範囲にわたりＰＥＴ画像の品質を向上することができるポジトロン放射断層撮影装置、調整方法およびＰＥＴスキャナを提供することである。
【課題を解決するための手段】
【０００６】
実施形態のポジトロン放射断層撮影装置は、ポジトロン放射断層撮影（ＰＥＴ）スキャナにより実行されるスキャンの間にＰＥＴスキャナの検出器の現在温度を取得し、現在温度に基づき、スキャンの間にＰＥＴスキャナで用いられるデータ取得パラメータを調整する制御部を備える。
【図面の簡単な説明】
【０００７】
【図１】ポジトロン放射断層撮影（Positron  Emission  Tomography：ＰＥＴ）システムを示す図である。
【図２】開示する実施形態の方法を示す図である。
【図３】開示する実施形態による温度補償用のシステムを示す図である。
【図４Ａ】温度に応じたエネルギーウインドウを説明する説明図である。
【図４Ｂ】温度に応じたエネルギーウインドウを説明する説明図である。
【図５】開示する実施形態を実施してもよいコンピュータシステムを示す図である。
【発明を実施するための形態】
【０００８】
以下の説明を読み取り、添付図面を考察すれば、開示内容をよりよく理解できるであろう。添付図面は、単に実施形態を限定しない例として示すものである。
【０００９】
本明細書に記載の実施形態は、ポジトロン放射断層撮影校正に関する。
【００１０】
開示する実施形態では、ポジトロン放射断層撮影スキャナにより実行されるスキャンの間に、データ取得パラメータを調整する装置について述べる。装置は、スキャンの間にＰＥＴスキャナの検出器の現在温度を取得し、現在温度に基づき、スキャンの間にＰＥＴスキャナで用いられるデータ取得パラメータを調整するよう構成された制御部を備える。
【００１１】
一実施形態では、制御部は、現在温度が先に記録された検出器の温度と異なるか否かを判定し、現在温度が先に記録された温度と異なる場合、スキャンの間にＰＥＴスキャナで用いられるデータ取得パラメータを調整するようさらに構成される。一実施形態では、制御部は、スキャンの間の所定時間に現在温度を取得し、取得した現在温度に基づき、各所定時間にデータ取得パラメータを調整するようさらに構成される。
【００１２】
一実施形態では、制御部は、検出器に対応して配設されたセンサから現在温度を取得するよう構成され、先に記録された温度は、スキャンの前にセンサから取得され記録される。
【００１３】
一実施形態では、装置はメモリをさらに備え、制御部は、メモリに格納された既定の表を用いて、現在温度に対応付けられたデータ取得パラメータを調整するようさらに構成される。一実施形態では、制御部は、エネルギーウインドウを規定するパラメータを含むデータ取得パラメータを調整するよう構成される。
【００１４】
また開示する実施形態では、ＰＥＴスキャナにより実行されるスキャンの間にデータ取得パラメータを調整する方法についても述べる。方法は、スキャンの間にＰＥＴスキャナの検出器の現在温度を取得するステップと、現在温度に基づき、スキャンの間にＰＥＴスキャナで用いられるデータ取得パラメータを調整するステップとを含む。
【００１５】
一実施形態では、方法は、現在温度が先に記録された検出器の温度と異なるか否かを判定するステップと、現在温度が先に記録された温度と異なる場合、スキャンの間にＰＥＴスキャナで用いられるデータ取得パラメータを調整するステップとをさらに含む。
【００１６】
一実施形態では、取得ステップは、スキャンの間の所定時間に現在温度を取得するステップを含み、調整ステップは、取得した現在温度に基づき、各所定時間にデータ取得パラメータを調整するステップを含む。
【００１７】
一実施形態では、方法は、先に記録された温度をスキャンの前に記録するステップをさらに含み、取得ステップは、検出器に対応して配設されたセンサから現在温度を取得するステップを含む。一実施形態では、調整ステップは、メモリに格納された既定の表を用いて、現在温度に対応付けられたデータ取得パラメータを調整するステップを含む。一実施形態では、調整ステップは、エネルギーウインドウを規定するパラメータを含むデータ取得パラメータを調整するステップを含む。
【００１８】
また開示する実施形態では、コンピュータ実行可能命令を含む非一時的なコンピュータ可読記憶媒体であって、命令は、コンピュータにより実行されると、ＰＥＴスキャナにより実行されるスキャンの間に、データ取得パラメータを調整する方法をコンピュータに実行させる、コンピュータ可読記憶媒体について述べる。方法は、スキャンの間にＰＥＴスキャナの検出器の現在温度を取得するステップと、現在温度に基づき、スキャンの間にＰＥＴスキャナで用いられるデータ取得パラメータを調整するステップとを含む。
【００１９】
一実施形態では、コンピュータ可読記憶媒体は、現在温度が先に記録された検出器の温度と異なるか否かを判定するステップと、現在温度が先に記録された温度と異なる場合、スキャンの間にＰＥＴスキャナで用いられるデータ取得パラメータを調整するステップとをさらに含む。
【００２０】
一実施形態では、取得ステップは、スキャンの間の所定時間に現在温度を取得するステップを含み、調整ステップは、取得した現在温度に基づき、各所定時間にデータ取得パラメータを調整するステップを含む。一実施形態では、コンピュータ可読記憶媒体は、先に記録された温度をスキャンの前に記録するステップをさらに含み、取得ステップは、検出器に対応して配設されたセンサから現在温度を取得するステップを含む。
【００２１】
一実施形態では、調整ステップは、メモリに格納された既定の表を用いて、現在温度に対応付けられたデータ取得パラメータを調整するステップを含む。一実施形態では、調整ステップは、エネルギーウインドウを規定するパラメータを含むデータ取得パラメータを調整するステップを含む。
【００２２】
また開示する実施形態では、ＰＥＴスキャナにより実行されるスキャンの間にデータ取得パラメータを調整するＰＥＴスキャナについても述べる。ＰＥＴスキャナは、温度を測定するよう構成されたセンサをそれぞれ含む複数の検出器と、スキャンの間に複数の検出器の検出器現在温度を取得し、現在温度に基づき、スキャンの間にＰＥＴスキャナで用いられるデータ取得パラメータを調整するよう構成された制御部とを備える。
【００２３】
一実施形態では、ＰＥＴスキャナはメモリをさらに備え、制御部は、メモリに格納された既定の表を用いて、現在温度に対応付けられたデータ取得パラメータを調整するようさらに構成される。
【００２４】
本実施形態は、より広い温度範囲でタイミングおよびエネルギー分解能を向上させることによるＰＥＴ画像品質の向上に関する。すなわち、本実施形態により、特定の雰囲気温度に対してのみ最適化しているのとは対照的に、全ての温度範囲にわたり性能が向上する。
【００２５】
ＰＥＴにおいて、温度が上昇すると計数落としやタイミング劣化が生じることがある。しかし、光電ピーク位置に対する温度の影響は、データ取得の際に把握し状況確認することができる。取得データについて温度センサはポーリングされ、スキャンの間に温度が変動する場合、変化の状況が確認される。
【００２６】
製造におけるシステム校正および／またはシステム試験の間、温度に対する光電ピーク位置を、低温、公称温度、高温の雰囲気温度において測定することができる。別の実施形態では、測定結果は、あらゆる温度において取得できる。次に、前述のデータ（例えば、様々な温度で用いるためのパラメータ値）を含む校正表が作成される。次に、このデータを用いて、ＰＥＴシステムにおいて用いられる様々なパラメータが動的に調整される。なお、一実施形態では、パラメータはエネルギーウインドウを規定するパラメータを含む。一実施形態では、校正表は、光電子増倍管（Photomultiplier  Tube：ＰＭＴ）用のゲイン、結晶マップ、結晶依存的なエネルギー係数、結晶依存的なタイミング係数、等を含む。一実施形態では、校正表は校正の間に作成される。
【００２７】
温度データは、ＰＥＴスキャンが実行されている間に取得される。スキャンの間、温度が変化するにつれ、温度変化の状況をスキャンの間にリアルタイムで確認することができる。校正表のデータ点間を補間することにより、タイミングおよび／またはエネルギー分解能を向上させることができる。
【００２８】
図面を参照すると、図１は、環状の検出器２０を備えるＰＥＴシステム１０を示す。検出器２０のそれぞれは、各検出器２０および検出器２０に対応して配設された他の電子機器の温度を計測するよう構成された温度センサ３０を含む。また図１には、スキャンのデータを取得するよう構成された複数のデータ取得ユニット４０が示されている。
【００２９】
図２に、開示する実施形態の方法を示す。図２のプロセスに見られるように、スキャン前とスキャンの間の両方で温度が測定される。図２のプロセスは、温度センサ３０が検出器２０および対応する電子機器の温度を測定するステップ１００から始まる。ステップ１００は、システム校正および／またはシステム試験の間、およびデータ取得の前（すなわち、実際のスキャンの前）に実行してもよい。なお、上述のように、ステップ１００を実行する前に、様々な温度、例えば、低温、公称温度、および高温の雰囲気温度で温度を測定することができ、また校正表を作成してもよい。
【００３０】
ステップ１１０において、測定された温度に対する（上記のように作成された）対応校正表が読み込まれる。対応校正表により、様々な温度または温度範囲が、特定のパラメータ、数値、または校正係数に対応付けられる。
【００３１】
ステップ１２０において、ＰＥＴシステムによるデータの取得（すなわち、スキャン）が始まる。なお、ステップ１２０におけるデータの取得は、ステップ１００で測定された温度に対応付けされた特定のパラメータ、数値、または校正係数を用いて、実行される。
【００３２】
データ取得の間、ステップ１３０において検出器および電子機器の温度が、温度センサ３０により測定される。
【００３３】
次に、ステップ１４０において、温度が先に測定した温度から変化したか否かを判定するための比較を行う。なお、１回目のステップ１３０およびステップ１４０では、先に測定した温度はステップ１００で測定した温度に相当する。
【００３４】
ステップ１４０で、温度が変化した（ＹＥＳ）と判定された場合、プロセスは、測定温度に対する対応校正表を取得するステップ１５０に進む。温度変化に対する（すなわち、「ＹＥＳ」と判定するための）閾値は、設定変更可能であり、また特定の構成に基づいて変えることができる。次に、新たな、変化した温度に対応付けられて更新されたパラメータ、数値、または校正係数が用いられ、プロセスは、ＰＥＴシステムが更新されたパラメータ、数値、または校正係数を用いてデータ取得を継続する、ステップ１６０に進む。このように、スキャンの間に温度が変化しても、スキャンが行われているときにリアルタイムで、温度変化を補償することができる。
【００３５】
ステップ１４０で、温度が変化しなかった（ＮＯ）と判定された場合、プロセスは、ＰＥＴシステムがデータ取得を継続するステップ１６０に直接進む。なお、この場合は温度変化がないため、様々なパラメータ、数値、または校正係数を用いる必要はない。
【００３６】
ステップ１６０の後、プロセスは温度を再度測定するステップ１３０に戻る。一実施形態では、温度の測定は、データ取得全体を通して特定の間隔で行われる。この間隔は、設定変更可能であり、また特定の構成に基づいて変えることができる。プロセスはスキャンが完了するまで継続される。
【００３７】
一実施形態では、プロセスにおいて、スキャンの間の所定時間に現在温度を取得し、取得した現在温度に基づいて各所定時間にパラメータを調整してもよい。すなわち、本実施形態では、現在温度が先に記録された温度と異なるか否かの判定（例えば、図２のステップ１４０を参照）を行う必要がない。代わりに、プロセスにおいて、スキャン全体を通して所定時間に検出器の温度を継続して取得し、また取得した温度に基づいて各所定時間にパラメータを調整する。このプロセスはスキャンが完了するまで実行される。
【００３８】
図３に、開示する実施形態による温度補償用のシステムを示す。検出器２０は、例えば、（図１でも示したように）温度センサ３０を含む。一実施形態では、要素２０、３０、４０、５０、および６０は、図１のシステム１０等のＰＥＴスキャナシステムの一部である。一実施形態では、制御部５０は、データ取得ユニット４０の一部である。
【００３９】
図３に見られるように、制御部５０は、コンピュータプログラムを実行するプロセッサとして、または専用回路として実装することができ、検出器２０に含まれるセンサ３０から温度測定値を取得する。次に、制御部５０は、取得した温度に対応するメモリ６０内のデータ取得パラメータを調べ、更新されたデータ取得パラメータをデータ取得ユニット４０に送る。更新されたパラメータを用いてスキャンが継続される。スキャンが完了すると、データ取得ユニット４０は、取得データを、取得したＰＥＴ事象データに基づいて画像の再構成を行う再構成プロセッサ（図示せず）に送る。
【００４０】
なお、上で開示した実施形態では１つの検出器に関して説明しているが、これらの実施形態を複数の検出器（または、図１のＰＥＴシステム１０における検出器の全て）に適用し、複数の検出器のために温度を測定して各検出器のデータ取得パラメータを更新するようにしてもよい。一実施形態では、図３に関して、制御部５０は複数の検出器２０のそれぞれに含まれるセンサから温度を取得する。このように、一実施形態では、パラメータは個々の検出器に合わせて調整される。
【００４１】
上述のように、本実施形態により、特定の雰囲気温度に対してのみ最適化しているのとは対照的に、全ての温度範囲にわたり性能が向上する。このため、例えば、エネルギーウインドウ位置は温度に依存し、これは取得される計数が増すことを意味する。さらに、取得される計数が増すことに伴い、全体のスキャン時間が短縮され得る。
【００４２】
図４Ａ、図４Ｂは、温度に応じたエネルギーウインドウを説明する説明図である。具体的には、図４Ａ、図４Ｂでは、検出器において異なる温度（Ｔ１、Ｔ２）ごとに、エネルギー［ｅＶ］と取得された計数との関係をグラフで表している。例えば、図４Ａに示すように、検出器の温度がＴ１とＴ２とで異なる場合には、ポジトロンの対消滅イベントにより生成されるガンマ線（５１１ｋｅＶ）を計数した際のピークが異なる位置に現れることがある。同様に、図４Ｂに示すように、検出器の温度がＴ１とＴ２とで異なる場合には、急峻にピークが生じる形状と、なだらかにピークが生じる形状とで、Ｔ１及びＴ２におけるグラフの形状が互い異なることがある。したがって、本実施形態では、このような検出器の温度依存性に対応するため、各検出器における温度Ｔ１、Ｔ２に基づいてエネルギーウインドウＷ１、Ｗ２の位置、幅を規定するように、各検出器のデータ取得パラメータを更新する。これにより、ポジトロンの対消滅イベントの計数などにおける、検出器の温度による影響を抑えることができる。
【００４３】
開示する実施形態の二次的な利点は、散乱除去の向上であり、これもエネルギーウインドウ位置に依存する。エネルギーウインドウの配置の精度が高いと（例えば、４２５ｋｅＶ〜６５０ｋｅＶ）、タイミングウォーク補正が向上し、これによりタイミング分解能が向上する。
【００４４】
上記の機能のそれぞれを、１つ以上の処理回路により実装してもよい。さらにまた、データ取得ユニット４０を、１つ以上の処理回路により構築してもよい。処理回路は、プロセッサが電気回路を含むように、プログラム式プロセッサ（例えば、プロセッサ１２０３）を含む。また処理回路は、特定用途向け集積回路（Application  Specific  Integrated  Circuit：ＡＳＩＣ）や列挙した機能を実行するよう配置された従来の回路構成部品等の装置も含む。
【００４５】
さらに、開示する実施形態において述べたプロセスは、ＰＥＴシステム１０またはコンピュータシステム（またはプログラマブル論理デバイス）によって実行することができる。図５に、開示する実施形態を取り入れてもよいコンピュータシステム１２０１を示す。コンピュータシステム１２０１は、上記のプロセス（例えば、図２について述べたプロセス）を実行し、ＰＥＴシステム１０と通信してもよい。一実施形態では、図５のシステムの種々の構成部品は、図１のＰＥＴシステム１０に含まれてもよい。一実施形態では、図５のコンピュータシステム１２０１は、図３の要素５０または図３の複数の要素に相当してもよい。
【００４６】
コンピュータシステム１２０１は、バス１２０２に結合されたディスク制御部１２０６を備え、磁気ハードディスク１２０７やリムーバブルメディアドライブ１２０８（例えば、フロッピー（登録商標）ディスクドライブ、読み出し専用コンパクトディスクドライブ、読み出し／書き込みコンパクトディスクドライブ、コンパクトディスクジュークボックス、テープドライブ、およびリムーバブル光磁気ドライブ）等の情報および命令を格納する１つ以上の記憶装置を制御する。記憶装置は、適切なデバイスインタフェース（例えば、小型コンピュータシステムインタフェース（Small  Computer  System  Interface：ＳＣＳＩ）、統合デバイスエレクトロニクス（Integrated  Device  Electronics：ＩＤＥ）、拡張ＩＤＥ（Enhanced-IDE：Ｅ−ＩＤＥ）、直接メモリアクセス（Direct  Memory  Access：ＤＭＡ）、またはウルトラＤＭＡ）を使用して、コンピュータシステム１２０１に追加されてもよい。
【００４７】
またコンピュータシステム１２０１は、専用論理デバイス（例えば、特定用途向け集積回路（Application  Specific  Integrated  Circuit：ＡＳＩＣ））または構成可能論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、およびフィールドプログラマブルゲートアレイ（Field  Programmable  Gate  Array：ＦＰＧＡ））を備えてもよい。
【００４８】
またコンピュータシステム１２０１は、コンピュータユーザに情報を表示するディスプレイ１２１０を制御する、バス１２０２に結合されたディスプレイ制御部１２０９を備えてもよい。コンピュータシステムは、キーボード１２１１やポインティングデバイス１２１２等の、コンピュータユーザと対話するとともにプロセッサ１２０３に情報を提供するための入力装置を備える。ポインティングデバイス１２１２は、例えば、プロセッサ１２０３に指示情報やコマンド選択を伝達しかつディスプレイ１２１０上のカーソルの動きを制御するためのマウス、トラックボール、タッチスクリーンセンサに対する指、またはポインティングスティックであってよい。
【００４９】
プロセッサ１２０３は、メインメモリ１２０４等のメモリに含まれる１つ以上の命令からなる１つ以上のシーケンスを実行する。そのような命令は、ハードディスク１２０７やリムーバブルメディアドライブ１２０８等の、他のコンピュータ可読媒体からメインメモリ１２０４に読み込まれてもよい。また、メインメモリ１２０４に含まれる命令シーケンスを実行するために、マルチプロセッシング構成の１つ以上のプロセッサを使用してもよい。別の実施形態では、ソフトウェア命令の代わりまたはソフトウェア命令との組み合わせで、ハードワイヤード回路を用いてもよい。したがって、実施形態は、ハードウェア回路構成およびソフトウェアのいかなる特定の組み合わせにも限定されない。
【００５０】
上述したように、コンピュータシステム１２０１は、本開示の教示に従ってプログラムされた命令を保持し、データ構造、表、記録、または本明細書に記載の他のデータを収容するための少なくとも１つコンピュータ可読媒体またはメモリを備える。コンピュータ可読媒体の例として、コンパクトディスク、ハードディスク、フロッピーディスク、テープ、光磁気ディスク、ＰＲＯＭ（消去可能ＰＲＯＭ（Erasable  PROM：ＥＰＲＯＭ）、電気的消去可能ＰＲＯＭ（Electrically  Erasable  PROM：ＥＥＰＲＯＭ）、フラッシュＥＰＲＯＭ）、ダイナミックＲＡＭ（Dynamic  RAM：ＤＲＡＭ）、スタティックＲＡＭ（Static  RAM：ＳＲＡＭ）、シンクロナスＤＲＡＭ（Synchronous  DRAM：ＳＤＲＡＭ）、または任意の他の磁気媒体、コンパクトディスク（例えば、ＣＤ−ＲＯＭ）、または任意の他の光媒体、パンチカード、紙テープ、または穿孔パターンを持つ他の物理媒体がある。
【００５１】
コンピュータ可読媒体のいずれか１つまたはその組み合わせに格納されるものとして、本開示は、コンピュータシステム１２０１を制御し、本発明を実現するための１つまたは複数のデバイスを作動させ、コンピュータシステム１２０１が人間ユーザと対話できるようにするための、ソフトウェアを含む。そのようなソフトウェアは、デバイスドライバ、オペレーテイングシステム、およびアプリケーションソフトウェアを含んでもよいが、これらに限定されるものではない。そのようなコンピュータ可読媒体は、本発明を実現する際に実行される処理の全部または一部（処理が分散されている場合）を実行するための、本開示のコンピュータプログラム製品をさらに含む。
【００５２】
本実施形態のコンピュータコードデバイスは、スクリプ卜、解釈可能なプログラム、ダイナミックリンクライブラリ（Dynamic  Link  Library：ＤＬＬ)、Ｊａｖａ（登録商標）クラス、および完全な実行可能プログラムを含むが、これらに限定されるものではなく、任意の解釈可能なまたは実行可能なコード機構であってもよい。さらに、性能、信頼性、および／またはコストを改善するために、本実施形態の処理の部分を分散させてもよい。
【００５３】
本明細書で使用する用語「コンピュータ可読媒体」は、プロセッサ１２０３に命令を与えて実行することに関与する任意の非一時的な媒体を指す。コンピュータ可読媒体は、不揮発性媒体または揮発性媒体を含むが、これらに限定されるものではなく、多くの形態を取ることができる。例えば、不揮発性媒体は、ハードディスク１２０７またはリムーバブルメディアドライブ１２０８等の光学ディスク、磁気ディスク、および光磁気ディスクを含む。揮発性媒体は、メインメモリ１２０４等のダイナミックメモリを含む。一方、伝送媒体は、バス１２０２を形成する配線を含む同軸ケーブル、銅線、および光ファイバを含む。また伝送媒体は、電波通信および赤外線通信の間に生成される波等の、音波または光波の形態をとってもよい。
【００５４】
実行用のプロセッサ１２０３に対する１つ以上の命令からなる１つ以上のシーケンスを実行する際に、様々な形態のコンピュータ可読媒体を用いてもよい。例えば、命令を、最初に、リモートコンピュータの磁気ディスクに収容してもよい。リモートコンピュータは、本開示の全部または一部を実行するための命令をダイナミックメモリにリモー卜でロードし、この命令をモデムを使って電話線で送信することができる。コンピュータシステム１２０１のローカルのモデムは、電話線でデータを受信し、データをバス１２０２に乗せてもよい。バス１２０２は、データをメインメモリ１２０４へ伝達し、そこからプロセッサ１２０３は命令を取り出して実行する。メインメモリ１２０４が受信した命令は、必要に応じて、プロセッサ１２０３が実行する前か後かにハードディスク１２０７またはリムーバブルメディアドライブ１２０８に格納してもよい。
【００５５】
またコンピュータシステム１２０１は、バス１２０２に結合された通信インタフェース１２１３も備える。通信インタフェース１２１３は、例えば、ローカルエリアネットワーク（Local  Area  Network：ＬＡＮ）１２１５、またはインターネット等の別の通信ネットワーク１２１６に接続されるネットワークリンク１２１４につながる双方向データ通信を可能にする。例えば、通信インタフェース１２１３は、任意のパケット交換ＬＡＮに取り付けるネットワークインタフェースカードであってもよい。他の例として、通信インタフェース１２１３は、総合サービスデジタル網（Integrated  Services  Digital  Network：ＩＳＤＮ）カードであってもよい。また無線リンクが実装されてもよい。そのような実施形態のいずれにおいても、通信インタフェース１２１３は、様々な種類の情報を表すデジタルデータストリームを搬送する電気信号、電磁信号、または光信号を送受信する。
【００５６】
ネットワークリンク１２１４は、一般的に、１つ以上のネットワークを介して他のデータデバイスへのデータ通信を可能にする。例えば、ネットワークリンク１２１４は、ローカルネットワーク１２１５（例えば、ＬＡＮ）を通じて、または通信ネットワーク１２１６を介して通信サービスを提供するサービスプロバイダによって操作される機器を通じて、別のコンピュータに接続できるようにしてもよい。ローカルネットワーク１２１４および通信ネットワーク１２１６は、例えば、デジタルデータストリームを搬送する電気信号、電磁信号、または光信号、および関連する物理層(例えば、カテゴリ５ケーブル、同軸ケーブル、光ファイバなど)を使用する。様々なネットワークを介した信号、およびコンピュータシステム１２１０との間でデジタルデータをやりとりする通信インタフェース１２１３を介したネットワークリンク１２１４上の信号は、ベースバンド信号または搬送波ベースの信号で実現されてもよい。ベースバンド信号は、デジタルデータビットの流れを表す非変調電気パルスとしてデジタルデータを伝達する。ここで、用語「ビット」は、記号を意味するように広く解釈するべきであり、各記号は、少なくとも１つ以上の情報ビットを伝達する。またデジタルデータを用いて、導電媒質上を伝搬されるかあるいは伝搬媒質を介して電磁波として伝送される振幅偏移変調信号、位相偏移変調信号、および／または周波数偏移変調信号等で、搬送波を変調してもよい。このように、デジタルデータは、「有線の」通信チャネルを通して非変調のベースバンドデータとして送信されてもよく、かつ／または、搬送波を変調することによりベースバンドとは異なる所定の周波数帯の範囲内で送信されてもよい。コンピュータシステム１２０１は、ネットワーク１２１５および１２１６、ネットワークリンク１２１４、および通信インタフェース１２１３を介して、プログラムコードを含むデータを送受信することができる。さらに、ネットワークリンク１２１４は、ＬＡＮ１２１５を介して、パーソナル携帯情報機器（Personal  Digital  Assistant：ＰＤＡ)、ラップトップコンピュータ、または携帯電話等の携帯機器１２１７に接続できるようにしてもよい。
【００５７】
以上、説明したとおり本実施形態によれば、広い温度範囲にわたりＰＥＴ画像の品質を向上することができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【図１】
2014238397.tif 000003
【図２】
2014238397.tif 000004
【図３】
2014238397.tif 000005
【図４Ａ】
2014238397.tif 000006
【図４Ｂ】
2014238397.tif 000007
【図５】
2014238397.tif 000008